(57)【要約】      （修正有）【課題】視覚障害者が、コンクリートブロックのどちらの側が道路の縁端とは反対側かを容易に判断できる、側溝用のコンクリートブロックを提供する。【解決手段】コンクリートブロック２は、道路脇１ａに道路１に沿って並ぶように設置される。このコンクリートブロック２は、上方に露出する天面２ａを備える。その天面２ａには、視覚障害者誘導用の突起群２ｂが設けられる。この突起群２ｂは、点在して設けられる点状突起２ｃと、それら点状突起２ｃを挟む両側部のうちの一方にのみ設けられてコンクリートブロック２の並ぶ縦方向に延びる線状突起２ｄとを備える。【選択図】図３
0003209362.tif 000002
【実用新案登録請求の範囲】
【請求項１】
道路脇に道路に沿って並ぶように設置される側溝用のコンクリートブロックであって、
上方に露出する天面を備え、
前記天面には、視覚障害者誘導用の突起群が設けられ、
前記突起群は、点在して設けられる点状突起と、それら点状突起を挟む両側部のうちの一方にのみ設けられてコンクリートブロックの並ぶ縦方向に延びる線状突起とを備える、側溝用のコンクリートブロック。
【請求項２】
前記天面の、前記突起群を有する領域は、前記突起群を含めて、黄色、オレンジ色、あるいはその他の、前記コンクリートブロックのコンクリートの色とは異なる色で着色されている請求項１に記載の側溝用のコンクリートブロック。
【請求項３】
前記コンクリートブロックは、側溝の蓋である、請求項１または２に記載の側溝用のコンクリートブロック。
【請求項４】
前記コンクリートブロックは、天板部を備えた側溝ブロックであって、その天板部の上面が前記天面となっている、請求項１または２に記載の側溝用のコンクリートブロック。
【請求項５】
請求項１ないし４のいずれか１項に記載のコンクリートブロックが、道路脇に道路に沿って並んで設置された、コンクリートブロックの設置構造であって、
前記コンクリートブロックが、前記点状突起が道路の縁端側に位置し前記線状突起が道路の縁端とは反対側に位置する向きで配置されている、側溝用のコンクリートブロックの設置構造。
【請求項６】
請求項４に記載のコンクリートブロックとしての側溝ブロックが、道路脇に道路に沿って並んで設置された、コンクリートブロックの設置構造であって、
前記側溝ブロックは、その天板部が側溝ブロックの上部における一部に設けられるのみであって、天板部のない開口部を有し、かつ、
前記開口部が、請求項３に記載のコンクリートブロックとしての蓋で覆われ、
前記側溝ブロックと前記蓋とが、前記点状突起が道路の縁端側に位置し前記線状突起が道路の縁端とは反対側に位置する向きで配置されている、側溝用のコンクリートブロックの設置構造。
【考案の詳細な説明】
【技術分野】
【０００１】
この考案は、視覚障害者誘導用の突起を設けた、側溝用のコンクリートブロック、および側溝用のコンクリートブロックの設置構造に関するものである。
【背景技術】
【０００２】
従来、視覚障害者の歩行を助けるため、道路に敷設される側溝等に突起を設けることがあった（例えば、特許文献１参照）。図１４は、コンクリートブロックとしての側溝の蓋８０に突起８１、８１を設けた例を示し、突起８１は、蓋８０の上面の各側に、一列に配置された。そこで、視覚障害者は、この突起８１を足で踏んで確認することで、道路脇を確実に歩行することができた。
【先行技術文献】
【特許文献】
【０００３】
【特許文献１】特開平１１−２５６５２８
【考案の概要】
【考案が解決しようとする課題】
【０００４】
しかし、前記従来の側溝の蓋８０にあっては、蓋８０（コンクリートブロック）の上を突起８１を確認しながら歩行することはできても、その突起８１を避けて道路の縁端とは反対側を歩行しようとした場合、蓋８０（コンクリートブロック）のどちらの側が道路の縁端とは反対側なのかを容易には判断することができなかった。
【０００５】
この考案は、上記した従来の欠点を解決するためになされたものであり、その目的とするところは、視覚障害者が、コンクリートブロックのどちらの側が道路の縁端とは反対側かを容易に判断できる、側溝用のコンクリートブロック、および側溝用のコンクリートブロックの設置構造を提供することにある。
【課題を解決するための手段】
【０００６】
この考案に係る側溝用のコンクリートブロック、および側溝用のコンクリートブロックの設置構造は、前記目的を達成するために、次の構成からなる。すなわち、
請求項１に記載の考案に係る側溝用のコンクリートブロックは、道路脇に道路に沿って並ぶように設置されるコンクリートブロックであって、上方に露出する天面を備え、前記天面には、視覚障害者誘導用の突起群が設けられる。ここで、前記突起群は、点在して設けられる点状突起と、それら点状突起を挟む両側部のうちの一方にのみ設けられてコンクリートブロックの並ぶ縦方向に延びる線状突起とを備える。
【０００７】
この側溝用のコンクリートブロックによると、その天面に、点状突起が設けられ、さらに、その点状突起を挟む両側部のうちの一方に線状突起が設けられている。このため、このコンクリートブロックが道路脇に道路に沿って並んで設置されたとき、視覚障害者は、杖等により、点状突起と線状突起との位置関係を確認することで、コンクリートブロックのどちらの側が、道路の縁端とは反対側なのかを容易に判断することができる。そこで、視覚障害者は、道路脇において、コンクリートブロックにおける突起群よりも道路の縁端とは反対側を歩行することで、道路の縁端から外側に外れるのを避けたり、道路の縁端側にある電柱等の障害物を避けたりすることができる。
【０００８】
また、請求項２に記載の考案に係る側溝用のコンクリートブロックは、請求項１に記載のコンクリートブロックにおいて、前記天面の、前記突起群を有する領域は、前記突起群を含めて、黄色、オレンジ色、あるいはその他の、前記コンクリートブロックのコンクリートの色とは異なる色で着色されている。こうして、突起群を有する領域が着色されることで、視覚障害者が弱視である場合には、その着色された領域を目視で確認することで、突起群の存在を知ることができる。
【０００９】
また、請求項３に記載の考案に係る側溝用のコンクリートブロックは、請求項１または２に記載のコンクリートブロックにおいて、前記コンクリートブロックは、側溝の蓋である。
【００１０】
また、請求項４に記載の考案に係る側溝用のコンクリートブロックは、請求項１または２に記載のコンクリートブロックにおいて、前記コンクリートブロックは、天板部を備えた側溝ブロックであって、その天板部の上面が前記天面となっている。
【００１１】
また、請求項５に記載の考案に係る側溝用のコンクリートブロックの設置構造は、請求項１ないし４のいずれか１項に記載のコンクリートブロックが、道路脇に道路に沿って並んで設置された、コンクリートブロックの設置構造である。このコンクリートブロックの設置構造は、前記コンクリートブロックが、前記点状突起が道路の縁端側に位置し前記線状突起が道路の縁端とは反対側に位置する向きで配置されている。
【００１２】
また、請求項６に記載の考案に係る側溝用のコンクリートブロックの設置構造は、請求項４に記載のコンクリートブロックとしての側溝ブロックが、道路脇に道路に沿って並んで設置された、コンクリートブロックの設置構造である。ここで、前記側溝ブロックは、その天板部が側溝ブロックの上部における一部に設けられるのみであって、天板部のない開口部を有し、かつ、前記開口部が、請求項３に記載のコンクリートブロックとしての蓋で覆われる。そして、前記側溝ブロックと前記蓋とが、前記点状突起が道路の縁端側に位置し前記線状突起が道路の縁端とは反対側に位置する向きで配置されている。
【考案の効果】
【００１３】
この考案に係る側溝用のコンクリートブロック、および側溝用のコンクリートブロックの設置構造によれば、コンクリートブロックの天面に、点状突起と線状突起とを備える突起群を設けることで、視覚障害者が、コンクリートブロックのどちらの側が道路の縁端とは反対側かを容易に判断でき、視覚障害者は、道路の縁端側を避けて歩行することができる。
【図面の簡単な説明】
【００１４】
【図１】この考案の一実施の形態の、側溝の蓋（コンクリートブロック）を示し、（ａ）は、平面図、（ｂ）は、正面図、（ｃ）は、Ａ−Ａ線による断面図である。
【図２】同じく、側溝の蓋を示し、（ａ）は、背面図、（ｂ）は、左側面図、（ｃ）は、右側面図である。
【図３】同じく、側溝の蓋の設置構造の平面図である。
【図４】同じく、設置構造の縦断面図である。
【図５】この考案の一実施の形態の第１変形例の、側溝の蓋の平面図である。
【図６】この考案の一実施の形態の第２変形例の、側溝の蓋の平面図である。
【図７】この考案の一実施の形態の第３変形例の、側溝の蓋の平面図である。
【図８】この考案の一実施の形態の変形例の、側溝の蓋の平面図を示し、（ａ）は、第４変形例であり、（ｂ）は、第５変形例である。
【図９】この考案の一実施の形態の変形例の、側溝の蓋の平面図を示し、（ａ）は、第６変形例であり、（ｂ）は、第７変形例である。
【図１０】この考案の一実施の形態の、他の設置構造の平面図である。
【図１１】この考案の他の実施の形態の、側溝ブロック（コンクリートブロック）の平面図である。
【図１２】同じく、側溝ブロックの正面図である。
【図１３】同じく、側溝ブロックに蓋を載せた設置構造を示す平面図である。
【図１４】従来の側溝の蓋を示す斜視図である。
【考案を実施するための形態】
【００１５】
以下、この考案に係る側溝用のコンクリートブロックを実施するための形態を図面に基づいて説明する。
【００１６】
図１〜図４は、本考案の一実施の形態を示す。図中符号１は、道路を示す。２は、道路脇１ａに道路１に沿って並ぶように設置される側溝用のコンクリートブロックを示す。３は、前記コンクリートブロック２が、道路脇１ａに道路１に沿って並んで設置された、コンクリートブロック２の設置構造を示す。４は、側溝を示す。
【００１７】
このコンクリートブロック２は、上方に露出する天面２ａを備える。そして、天面２ａには、視覚障害者誘導用の突起群２ｂが設けられる。ここで、突起群２ｂは、点在して設けられる点状突起２ｃ、２ｃと、それら点状突起２ｃ、２ｃを挟む両側部のうちの一方にのみ設けられてコンクリートブロック２の並ぶ縦方向（つまり、天面２ａにおける一方の側部に沿う方向）に延びる線状突起２ｄとを備える。
【００１８】
また、コンクリートブロック２の設置構造３は、コンクリートブロック２が、前記点状突起２ｃが道路１の縁端１ｂ側に位置し前記線状突起２ｄが道路１の縁端１ｂとは反対側に位置する向きで配置される。
【００１９】
具体的には、コンクリートブロック２は、側溝４（図示実施の形態においては、Ｕ字側溝）の蓋２０である。この蓋２０は、平面視が矩形形状をした盤状に形成されて、側溝４の蓋掛り段部４ａ、４ａに渡されるように載置される。そして、蓋２０の天面２ａにおいて、点状突起２ｃは、一方の側部側（つまり、側溝４の蓋掛り段部４ａに渡される一方の側）に設けられ、線状突起２ｄは、他方の側部側（つまり、側溝４の蓋掛り段部４ａに渡される他方の側）に設けられる。図示実施の形態においては、点状突起２ｃは、複数が縦横に整列して並ぶように設けられ、線状突起２ｄは、一本が縦に延びるように設けられる。そして、点状突起２ｃのそれぞれは、円錐台状に形成され、線状突起２ｄは、断面台形状に形成される。もっとも点状突起２ｃや線状突起２ｄは、これら形状に限定されるものではなく、ドーム状等その他の形状であってもよい。
【００２０】
また、この蓋２０（コンクリートブロック２）は、その天面２ａに、点状突起２ｃと線状突起２ｄとを備えた突起群２ｂを有する領域２ｅの他に、突起群２ｂを有しない平坦な領域２ｆが設けられている（図１（ａ）参照）。なお、図中符号２ｇは、手掛け用の凹部を示す。この凹部２ｇは、図示実施の形態においては、蓋２０の前後方向（つまり、縦方向）の一方にのみ設けられている。もっとも、この凹部２ｇは、蓋２０の前後方向の、両方に設けられてもよく、また、無くてもよい。
【００２１】
次に、以上の構成からなる側溝用のコンクリートブロック２、および側溝用のコンクリートブロック２の設置構造３の作用効果について説明する。このコンクリートブロック２（図示実施の形態においては、側溝４の蓋２０）は、その天面２ａに、点状突起２ｃが設けられ、さらに、その点状突起２ｃを挟む両側部のうちの一方に線状突起２ｄが設けられている。このため、このコンクリートブロック２が道路脇１ａに道路１に沿って並んで設置されたとき、視覚障害者は、杖等により、点状突起２ｃと線状突起２ｄとの位置関係を確認することで、コンクリートブロック２のどちらの側が、道路１の縁端１ｂとは反対側なのかを容易に判断することができる。そこで、視覚障害者は、道路脇１ａにおいて、コンクリートブロック２における突起群２ｂ（突起２ｃ、２ｄ）よりも道路１の縁端１ｂとは反対側を歩行することで、道路１の縁端１ｂから外側（道路外）に外れるのを避けたり、道路１の縁端１ｂ側にある電柱等の障害物を避けたりすることができる。すなわち、道路脇１ａに設置される側溝用のコンクリートブロック２の天面２ａに、点状突起２ｃと線状突起２ｄとを備える突起群２ｂを設けることで、視覚障害者が、コンクリートブロック２のどちらの側が道路１の縁端１ｂとは反対側かを容易に判断でき、視覚障害者は、道路１の縁端１ｂ側を避けて歩行することができる。
【００２２】
また、コンクリートブロック２は、突起群２ｂを含めて、型枠にコンクリートを打設することにより一度に成形することが可能であり、これによって、この突起群２ｂを容易に形成することができる。そして、このコンクリートブロック２は、側溝用のコンクリートブロックとしての機能を有しており、道路脇１ａに設置することでその機能を発揮し、かつ、視覚障害者のための指標ともなる。
【００２３】
なお、本考案は、上述した実施の形態に限定されるわけではなく、その他種々の変更が可能である。例えば、コンクリートブロック２は、その天面２ａの色が、コンクリートの色そのものである以外に、図５に薄墨で示すように、天面２ａの、突起群２ｂを有する領域２ｅは、その突起群２ｂを含めて、黄色、オレンジ色、あるいはその他の、コンクリートブロック２のコンクリートの色とは異なる色で着色されてもよい。こうして、突起群２ｂを有する領域２ｅが、コンクリートの色とは異なる色で着色されることで、視覚障害者が弱視である場合には、その着色された領域を目視で確認することで、突起群２ｂの存在を知ることができる。
【００２４】
また、コンクリートブロック２は、その天面２ａに、突起群２ｂを有する領域２ｅの他に、突起群２ｂを有しない平坦な領域２ｆが設けられるが、この平坦な領域２ｆは、図６に示すように、広くてもよく、また、図７に示すようにほとんど無くてもよい。また、この平坦な領域２ｆは、線状突起２ｄ側に設けられる以外に、点状突起２ｃ側に設けられてもよく、また、両方の側に設けられてもよい。
【００２５】
また、コンクリートブロック２としての側溝の蓋は、平面視が矩形形状に形成された蓋２０からならなくとも、側溝４の折れ曲がり部分に適用するために、図８および図９に示すように、平面視が台形形状に形成された蓋２１、２２、２３、２４からなってもよい。図１０は、電柱５を迂回する側溝４に、これら蓋２１、２２、２３、２４、および前述の蓋２０を配置した例を示す。
【００２６】
また、コンクリートブロック２は、側溝４の蓋でなくとも、図１１〜図１３に示すように、天板部２５ａを備えた側溝ブロック２５であって、その天板部２５ａの上面が、前記天面２ａとなっていてもよい。すなわち、この側溝ブロック２５は、側壁２５ｂと天板部２５ａとを備え、その天板部２５ａの上面（つまり、側溝ブロック２５の天面２ａ）に、視覚障害者誘導用の突起群（点状突起２ｃおよび線状突起２ｄ）が設けられる。設置構造３にあっては、図１３に示すように、側溝ブロック２５が、道路脇１ａに道路１に沿って並んで設置される。そして、側溝ブロック２５は、点状突起２ｃが道路１の縁端１ｂ側に位置し線状突起２ｄが道路１の縁端１ｂとは反対側に位置する向きで配置される。詳細には、側溝ブロック２５は、その天板部２５ａが側溝ブロック２５の上部における一部に設けられるのみであって、天板部２５ａのない開口部２５ｃを有する。そこで、この開口部２５ｃが、前述した蓋２０で覆われる。そして、側溝ブロック２５ともに蓋２０は、点状突起２ｃが道路１の縁端１ｂ側に位置し線状突起２ｄが道路１の縁端１ｂとは反対側に位置する向きで配置される。ところで、図示実施の形態においては、この天板部２５ａを備えた側溝ブロック２５は、可変側溝ブロックからなるが、他に、暗渠型側溝ブロック等その他の側溝ブロックであっても構わない。また、この側溝ブロック２５は、開口部２５ｃを有することなく、上部の全体が天板部２５ａで覆われていてもよく、この場合、蓋２０は不要となる。
【００２７】
また、前記蓋２１、２２、２３、２４および側溝ブロック２５についても、その天面２ａの、突起群２ｂを有する領域は、その突起群２ｂを含めて、黄色、オレンジ色、あるいはその他の、蓋２１、２２、２３、２４とか側溝ブロック２５とかのコンクリートの色とは異なる色で着色されてもよい。
【符号の説明】
【００２８】
１  道路
１ａ  道路脇
１ｂ  縁端
２  コンクリートブロック
２ａ  天面
２ｂ  突起群
２ｃ  点状突起
２ｄ  線状突起
２ｅ  突起群を有する領域
２０、２１、２２、２３、２４  蓋（コンクリートブロック）
２５  側溝ブロック（コンクリートブロック）
２５ａ  天板部
２５ｃ  開口部
３  設置構造
４  側溝
【図１】
0003209362.tif 000003
【図２】
0003209362.tif 000004
【図３】
0003209362.tif 000005
【図４】
0003209362.tif 000006
【図５】
0003209362.tif 000007
【図６】
0003209362.tif 000008
【図７】
0003209362.tif 000009
【図８】
0003209362.tif 000010
【図９】
0003209362.tif 000011
【図１０】
0003209362.tif 000012
【図１１】
0003209362.tif 000013
【図１２】
0003209362.tif 000014
【図１３】
0003209362.tif 000015
【図１４】
0003209362.tif 000016